(57)【特許請求の範囲】
【請求項１】
細かいゴミを捕捉するための着脱可能なヘアキャッチャーと、該ヘアキャッチャーの内部に着脱不能に設けられた開口を有する異物吸入防止材を備えて、浴槽壁に固設される吸水口において、浴槽内の浴槽水が吸い出される吸水口は下面側に開口され、該吸水口に前記ヘアキャッチャーが取り付けられているとともに、前記異物吸入防止材の開口が、前記浴槽壁より浴槽内側へ突出した部分の少なくとも外周面に配設され、該異物吸入防止材は、中心軸に対し回動可能であることを特徴とする気泡浴槽における吸水口構造。
【発明の詳細な説明】
【０００１】
【発明の属する技術分野】
この発明は、気泡浴槽における吸水口構造に関するものである。
【０００２】
【従来の技術及び発明が解決しようとする課題】
従来、気泡浴槽は図６に概略構成図で示すような構造となっており、浴槽５１の壁面には、吸水口５２と噴射口５４が取り付けられ、吸水口５２には、ゴミを捕捉するためのヘアキャッチャー５３が内装されたものとなっており、吸水口５２と噴射口５４間は循環配管５５で連結され、循環配管５５内にはポンプ５６が設けられ、このポンプ５６が作動することにより、浴槽５１内の浴槽水を吸水口５２から吸い出して、噴射口５４から浴槽５１内に戻すことができ、この時に、エア配管５７を介してエアを混入して、噴射口５４からエアの混入した気泡水を浴槽５１内に噴出させることができるように構成されている。
【０００３】
従来において、吸水口５２に内装されたヘアキャッチャー５３は、掃除できるように着脱可能に設けられており、また、このヘアキャッチャーの内部に、安全の為に、着脱不能な異物吸入防止材を設けた構成が、例えば登録実用新案第２５６９３３４号，特開平９−１８２６８３号公報に開示されている。
この異物吸入防止材は、浴槽壁よりも奥側の吸水口５２内に取り付けられており、この異物吸入防止材に付着しているゴミ等を掃除する場合には、奥側であるため、ブラシ等を浴槽壁面に対し直角に立てて使用したり、また奥側へ突っ込んで使用しなければならず、異物吸入防止材の掃除が困難であり、また、仕上げにシャワー等をかけて洗浄しようとしても、奥側であるため、上手く汚れを落とすことができないという問題点があった。
【０００４】
【課題を解決するための手段】
本発明は上記従来の問題点に鑑み案出したものであって、容易に清掃でき、シャワー等で洗浄しやすい異物吸入防止材を備えた吸水口構造を提供せんことを目的とし、その要旨は、細かいゴミを捕捉するための着脱可能なヘアキャッチャーと、該ヘアキャッチャーの内部に着脱不能に設けられた開口を有する異物吸入防止材を備えて、浴槽壁に固設される吸水口において、浴槽内の浴槽水が吸い出される吸水口は下面側に開口され、該吸水口に前記ヘアキャッチャーが取り付けられているとともに、前記異物吸入防止材の開口が、前記浴槽壁より浴槽内側へ突出した部分の少なくとも外周面に配設され、該異物吸入防止材は、中心軸に対し回動可能であることである。
【０００５】
【発明の実施の形態】
本発明の実施例を図面に基づいて説明する。
図１は、浴槽壁１に取り付けた噴射吸水口２の断面構成図であり、本例では、前述した図６における吸水口５２と噴射口５４が一体化されて、中央部分に噴射口３７ａが開口され、外周側に吸水口４３ａが開口された構造の噴射吸水口２を例示している。
この噴射吸水口２は、浴槽壁１の外側に配置されるハウジング３と、浴槽壁の内側よりハウジング３に螺合されるフランジ部材１５と、フランジ部材１５内に固設されてハウジング３と連結される噴流部材２３と、この噴流部材２３内に首振り可能に設けられた噴射ノズル３７で構成されている。
【０００６】
先ず、ハウジング３を図１において説明すると、ハウジング３の図示左端には、外側へ突出して鍔部１１が形成され、内周側には、フランジ部材１５が螺合される雌ネジ１２が形成されており、この雌ネジ１２の内側に、同心状に仕切り筒部４が一体形成され、その仕切り筒部４に仕切られて、仕切り筒部４の外側に、浴槽から吸い出された浴槽水が通る吸水路６が形成されて、この吸水路６の端部には循環配管接続部７が設けられており、この循環配管接続部７には、図６に示したような循環配管５５が接続されるものである。
【０００７】
また、仕切り筒部４の内側には、エア混入室５が形成され、このエア混入室５に連通して循環配管接続部８が一体形成され、この循環配管接続部８には、循環配管５５の戻り側の配管が接続されるものである。
また、エア混入室５にはエア吸込口９が連通されており、エア吸込口９からエアを吸込むことができるように構成され、また、エア吸込口９とエア混入室５間には、フロート玉１０が設けられて、このフロート玉１０により、エア混入室５内の水がエア吸込口９へ逆流しないように構成されている。
【０００８】
次に、フランジ部材１５は、図２の分解斜視図で、また、図３において断面構成図で示すような構造となっており、外周に雄ネジを形成したネジ筒部１６と、左端のフランジ部１７が一体形成されており、ネジ筒部１６の内周側には、段状に引掛け段部１８が形成されたものとなっている。
このフランジ部材１５のネジ筒部１６を、浴槽内側より、前記ハウジング３の雌ネジ１２に螺合させることができ、この時に、図１に示すように、浴槽壁１の外側に三角パッキン２１を介在させ、また、浴槽壁１の内側にはワッシャ１９と平パッキン２０を介在させることにより、ハウジング３に対しフランジ部材１５を締め付けた状態で、この三角パッキン２１及び平パッキン２０によりシールされるように構成されている。
【０００９】
次に、フランジ部材１５内に固設される噴流部材２３を説明すると、噴流部材２３は、図２の分解斜視図で、また図３の断面図で示すように、右端外周にオーリング２６を嵌め込むオーリング溝２５が形成されており、このオーリング溝２５から左側、すなわち浴室内側に向かって縮径した絞り通路部２４が形成され、この絞り通路部２４の左端に、お椀状に拡径したノズル収納部２７が一体形成されており、ノズル収納部２７の左端には、外側へ突出して鍔部２９が一体形成され、鍔部２９の内側には雌ネジ２８が形成されたものとなっている。
【００１０】
また、絞り通路部２４の外側に、対称状に一対のアーム片３０，３０が湾曲状に突出されており、この各アーム片３０の外端から、鍔部２９側へ延びて、外し片３２が一体形成され、外し片３２とアーム片３０の交差する部分に、外側へ突出して段状に爪３１が一体形成されたものとなっている。
この爪３１，３１は、前述したフランジ部材１５の引掛け段部１８に引掛けることができるものである。
【００１１】
この噴流部材２３のオーリング溝２５にオーリング２６を嵌め込んだ状態で、図１に示すように、浴槽内側より、噴流部材２３をフランジ部材１５内に嵌め込み、オーリング溝２５の部分は、ハウジング３の仕切り筒部４内にオーリング２６を介在させて回動可能に嵌め込むことができ、この時、アーム片３０，３０が弾性により撓んで、爪３１がフランジ部材１５の引掛け段部１８に係合して、この状態で、噴流部材２３はフランジ部材１５の内側に固定状となる。
【００１２】
この噴流部材２３をフランジ部材１５の内側に固設する際に、図２および図３に示すような異物吸入防止リング３４を、フランジ部材１５のフランジ部１７と噴流部材２３の鍔部２９間に嵌め込むことができるものである。
すなわち、異物吸入防止リング３４は、リング状に形成されて、その全周に多数の開口３５，３５，３５が形成されており、この開口３５には異物の侵入を防ぐメッシュが設けられたものとなっている。
【００１３】
図１のように、異物吸入防止リング３４を、フランジ部材１５のフランジ部１７と噴流部材２３の鍔部２９間に固定状に取り付けた状態で、噴流部材２３を仕切り筒部４内で中心軸に対し回動させることにより、この異物吸入防止リング３４も回動させることができるものである。
【００１４】
次に、噴流部材２３のノズル収納部２７内には、オーリング３８を介在させて噴射ノズル３７が収納され、外周に雄ネジを形成したネジリング３９が、噴流部材２３の雌ネジ２８に螺合されて締め付けられることにより、良好に噴射ノズル３７は噴流部材２３のノズル収納部２７内に首振り可能に収納されるものである。
この噴射ノズル３７の噴射口３７ａは、上下左右方向に首を振らせて位置を調節でき、この噴射ノズル３７は、噴流部材２３の絞り通路部２４，ハウジング３のエア混入室５および循環配管接続部８と連通状態となる。
【００１５】
すなわち、循環ポンプ５６が作動した時には、循環配管５５から循環配管接続部８内に浴槽水が戻され、エア混入室５は拡径状であり、エア混入室５が負圧となって、エア吸込口９から良好にエアが吸い込まれて、浴槽水にエアが混入されるものであり、このエアを混入した浴槽水が、縮径状の絞り通路部２４の部分で速度を増し、噴射ノズル３７の噴射口３７ａから浴槽内に噴出されるものである。
【００１６】
なお、浴槽内側には、図４に示すような安全カバー４０が取り付けられるものであり、この安全カバー４０は、フランジ部材１５のフランジ部１７の外周に嵌め込むことのできる嵌め込みリング部４１を備え、その中央部には、噴射ノズル３７の噴射口３７ａが差込み状となる開口４２が形成されており、嵌め込みリング部４１の下面側には、吸水口４３ａが開口され、吸水口４３ａにはメッシュ状のヘアキャッチャー４３が取り付けられている。
また、嵌め込みリング部４１から垂下状に手掛け部４４が一体形成されている。
【００１７】
図１のように、浴槽壁１の内側に安全カバー４０を取り付けて、フランジ部材１５および噴流部材２３の浴槽内への突出部分を安全カバー４０で良好に覆い、スッキリとした状態とすることができ、ポンプ５６が作動した時には、吸水口４３ａからヘアキャッチャー４３を通って浴槽内の浴槽水が吸い出され、浴槽水はハウジングの吸水路６を通り、循環配管接続部７から循環配管５５内に吸い込まれるものである。
この場合に、細かいゴミは安全カバー４０のヘアキャッチャー４３で捕捉され、さらに、その内側に着脱不能に設けられている異物吸入防止リング３４の開口３５のメッシュを通ることにより、異物が完全に取り除かれた状態で、浴槽水は吸水路６内に吸い込まれるのである。
【００１８】
ヘアキャッチャー４３に詰まりが生じたような場合には、手掛け部４４に手を掛けて浴槽内側へ引っ張ることにより、安全カバー４０を容易に取り外してヘアキャッチャー４３を掃除することができ、また、この安全カバー４０を取り外した状態では、浴槽壁１の浴槽内側に突出した部分の外周に異物吸入防止リング３４が露出状となるため、この異物吸入防止リング３４の開口３５に付着している異物や汚れを、図５に示すように、ブラシ４６を用いて容易に掃除することができるものであり、この時に、異物吸入防止リング３４を回動させることにより、異物吸入防止リング３４の掃除しにくい下部を上方側へ回動させて、異物吸入防止リング３４の全周を良好にブラシ４６で擦りながら汚れを落とすことができ、ブラシの操作が容易で、清掃作業を容易に行うことができるものとなる。
【００１９】
なお、前述した異物吸入防止リング３４は、図１のような取付状態では着脱不能であるが、どうしても取り外す必要が生じた場合には、異物吸入防止リング３４の開口３５を通して細い針等を差込み、噴流部材２３の外し片３２を中心軸側へ押圧して、爪３１をフランジ部材１５の引掛け段部１８から外し、これにより、噴流部材２３をフランジ部材１５から浴槽内側へ抜き出して取り外すことができるものである。
【００２０】
なお、本例では、噴射口３７ａと吸水口４３ａを一体化した噴射吸水口２を例示して説明しているが、図６のように、吸水口５２と噴射口５４が別々に設けられるタイプにおいても、吸水口５２に着脱可能に設けられたヘアキャッチャー５３の内側に、着脱不能に異物吸入防止リング３４等の異物吸入防止材を設け、この異物吸入防止材を浴槽壁１よりも浴槽内へ突出した部分に設けて、ブラシで容易に異物吸入防止材を掃除できるように構成することができるものである。
【００２１】
【発明の効果】
本発明は、細かいゴミを捕捉するための着脱可能なヘアキャッチャーと、該ヘアキャッチャーの内部に着脱不能に設けられた開口を有する異物吸入防止材を備えて、浴槽壁に固設される吸水口において、浴槽内の浴槽水が吸い出される吸水口は下面側に開口され、該吸水口に前記ヘアキャッチャーが取り付けられているとともに、前記異物吸入防止材の開口が、前記浴槽壁より浴槽内側へ突出した部分の少なくとも外周面に配設され、該異物吸入防止材は、中心軸に対し回動可能であることにより、異物吸入防止材を掃除する際には、外側の着脱可能なヘアキャッチャーを取り外して、異物吸入防止材を露出させ、ブラシ等で容易に掃除することができ、また、シャワーで良好に汚れを落とすことができ、異物吸入防止材の開口が外周面に存在するため、清掃ブラシを当てやすく、また、異物吸入防止材を回動させて、異物吸入防止材の全周を良好に清掃できる効果を有する。
【図面の簡単な説明】
【図１】  浴槽壁に噴射吸水口を固設した状態の縦断面構成図である。
【図２】  図１におけるハウジングを除く主要部材の分解斜視図である。
【図３】  図２に示す部材の分解断面構成図である。
【図４】  安全カバーの斜視構成図である。
【図５】  異物吸入防止リングを回転させながらブラシで掃除している作業状態図である。
【図６】  従来の気泡浴槽の概略構成図である。
【符号の説明】
１  浴槽壁
２  噴射吸水口
３  ハウジング
４  仕切り筒部
５  エア混入室
６  吸水路
７  循環配管接続部
８  循環配管接続部
９  エア吸込口
１０  フロート玉
１１  鍔部
１２  雌ネジ
１５  フランジ部材
１６  ネジ筒部
１７  フランジ部
１８  引掛け段部
２０  平パッキン
２１  三角パッキン
２３  噴流部材
２４  絞り通路部
２５  オーリング溝
２７  ノズル収納部
２８  雌ネジ
２９  鍔部
３０  アーム片
３１  爪
３２  外し片
３４  異物吸入防止リング
３５  開口
３７  噴射ノズル
３７ａ  噴射口
３８  オーリング
３９  ネジリング
４０  安全カバー
４３  ヘアキャッチャー
４３ａ  吸水口
４４  手掛け部
【図１】
0003870316.tif 000002
【図２】
0003870316.tif 000003
【図３】
0003870316.tif 000004
【図４】
0003870316.tif 000005
【図５】
0003870316.tif 000006
【図６】
0003870316.tif 000007